(57)【要約】【課題】  ＤＶＤ−ＲＯＭなどの情報記録媒体の読取装置を備えた車載装置において、情報記録媒体の挿入口をより確実に密閉して塵埃の侵入をより確実に防止する。【解決手段】  本体２の前部に設けられた可動パネル７は、前後方向に移動しながら傾斜角を変化させるようになっている。この可動パネル７の裏面に突部１６を設け、可動パネル７が本体２の前面を隠す閉鎖位置に位置したとき、突部１６の先端部分が挿入口６内に挿入されて外周の傾斜面１４ａ，１４ｂが挿入口６の開口周縁に当接するように構成する。【選択図】  図１
2006351094.tif 000002
【特許請求の範囲】
【請求項１】
前面に挿入口を有し、内部に前記挿入口から挿入された情報記録媒体に記録されている情報を読み取る読取装置を収納した本体と、
前記読取装置を操作するための操作手段および／または前記読取装置が前記情報記録媒体から取得した情報に関連する事項を表示するための表示手段を有し、少なくとも前記挿入口を隠す位置と前記情報記録媒体の出し入れのために前記挿入口を露出させる位置との間で移動可能な可動パネルとを備え、
前記本体および前記可動パネルのうちの少なくとも一方に、前記可動パネルが前記挿入口を隠す位置に移動した状態で他方に接して前記挿入口を外部に対して密に閉鎖するための密閉手段が設けられていることを特徴とする車載装置。
【請求項２】
前記密閉手段は、前記可動パネルに突設されて前記挿入口内に侵入可能な突部からなり、この突部の外周面または前記挿入口の内周面のうちの少なくとも一方に、他方に接する傾斜面が形成されていることを特徴とする請求項１記載の車載装置。
【請求項３】
前記密閉手段は、前記可動パネルおよび前記挿入口の周囲部のうちの一方に突設されて他方に接する突部からなることを特徴とする請求項１記載の車載装置。
【請求項４】
前記本体の前面の周囲部には前方に突出する囲壁部が形成され、
前記密閉手段は、前記可動パネルの周囲部および前記囲壁部のうちの少なくとも一方に形成されて他方が接する傾斜面からなることを特徴とする請求項１記載の車載装置。
【発明の詳細な説明】
【技術分野】
【０００１】
本発明は、情報記録媒体に記録された情報を読み取る読取装置および情報記録媒体を出し入れする挿入口を隠す位置と挿入口を露出させる位置との間で移動可能な可動パネルを備えた車載装置に関する。
【背景技術】
【０００２】
最近、自動車では、運転支援のためにカーナビゲーション装置を搭載することが多くなってきている。カーナビゲーション装置は、ＤＶＤ−ＲＯＭやＣＤ−ＲＯＭなどの地図データ記録媒体から地図データを読み取り、この地図データを基にして道路地図を表示画面に表示するように構成されている。
ところで、カーナビゲーション装置は、オーディオ一体型或いはオーディオビデオ一体型のものが多くなってきている。この種のカーナビゲーション装置では、表示画面を有する可動パネルを装置本体の前面部に傾動可能に設け、可動パネルを傾けると、装置本体の前面に形成された挿入口が露出されてＤＶＤ−ＲＯＭやＣＤ−ＲＯＭを出し入れできるように構成されている。
【０００３】
カーナビゲーション装置ではないが、特許文献１には、媒体交換型データ記録装置において、記録媒体の挿入口に開閉扉を開閉回動可能に設けること、電源が供給されないとき、手動で記録媒体を排出するための緊急排出機構の操作窓に、一端固定型の板ばねを取り付けてこの板ばねにより操作窓を塞ぐことが開示されている。
【特許文献１】特開平１０−２７５４５３号公報
【発明の開示】
【発明が解決しようとする課題】
【０００４】
カーナビゲーション装置は、自動車の走行時には絶えず振動を受けたり、夏や冬などにあっては、駐車時とエアコンが運転される走行時との間で大きな温度差を受けたり、更には埃の多い外気に晒される機会が多いなど、使用条件が過酷である。
特に、上述したようなＤＶＤ−ＲＯＭやＣＤ−ＲＯＭなどの挿入口を有したカーナビゲーション装置では、細かい塵埃を含んだ空気が挿入口から装置本体の内部に侵入し易い。そして、装置本体内に進入した空気中の塵埃が静電気などでＤＶＤ−ＲＯＭやＣＤ−ＲＯＭの記録面に付着し、その記録面を傷付けたりするという問題を生ずる。
【０００５】
そこで、従来のカーナビゲーション装置では、装置本体の挿入口にスリットを有したゴム製の防塵膜を設けて塵埃の侵入を防止するようにしているが、スリットの存在によって細かい塵埃の侵入を防止するには不十分であった。
また、特許文献１に開示された挿入口を開閉扉によって閉鎖する構成では、開閉扉を挿入口の周辺部分に押し付けるためのばねが設けられているが、開閉扉の回動支点側についてはばねによる押し付けが弱く、十分に密閉できない。操作窓の防塵構成についても、同様に板ばねの固定端側が操作窓の周縁部に十分に押し付けられず、密閉が不十分になって細かい塵埃の侵入を防止できない、という問題があった。
【０００６】
本発明は上記の事情に鑑みてなされたもので、その目的は、情報記録媒体の挿入口をより確実に密閉して塵埃の侵入をより確実に防止することができる車載装置を提供することにある。
【課題を解決するための手段】
【０００７】
上記の目的を達成するために本発明の車載装置は、前面に挿入口を有し、内部に前記挿入口から挿入された情報記録媒体に記録されている情報を読み取る読取装置を収納した本体と、前記読取装置を操作するための操作手段および／または前記読取装置が前記情報記録媒体から取得した情報に関連する事項を表示するための表示手段を有し、少なくとも前記挿入口を隠す位置と前記情報記録媒体の出し入れのために前記挿入口を露出させる位置との間で移動可能な可動パネルとを備え、前記本体および前記可動パネルのうちの少なくとも一方に、前記可動パネルが前記挿入口を隠す位置に移動した状態で他方に接して前記挿入口を外部に対して密に閉鎖するための密閉手段が設けられていることを特徴とするものである。
【０００８】
この構成によれば、可動パネルが挿入口を隠す位置に移動すると、その移動によって密閉手段が挿入口を外部に対して密閉する。この場合、可動パネルの移動によって、密閉手段を構成する部分が相手側に押し付けられることにより、密閉手段を構成する部分の全周が相手側にほぼ均等の押圧力で押し付けられるので、挿入口を外部に対して密に閉鎖することが可能となる。
【０００９】
前記密閉手段は、前記可動パネルに突設されて前記挿入口内に侵入可能な突部から構成し、この突部の外周面または前記挿入口の内周面のうちの少なくとも一方に、他方に接する斜面を形成することができる。
また、前記密閉手段は、前記可動パネルおよび前記挿入口の周囲部のうちの一方に突設されて他方に接する突部から構成することができる。
更には、前記本体の前面の周囲部に前方に突出する囲壁部を形成し、前記密閉手段を、前記可動パネルの周囲部および前記囲壁部のうちの少なくとも一方に形成されて他方が接する斜面から構成することができる。
【発明を実施するための最良の形態】
【００１０】
（第１の実施形態）
以下、本発明をカーナビゲーション装置に適用した第１の実施形態につき、図１ないし図５を参照しながら説明する。図４および図５は車載装置としてのカーナビゲーション装置１の全体を示している。この実施形態において、カーナビゲーション装置１は、オーディオビデオ一体型として構成され、情報記録媒体として、地図データを記録したＤＶＤ−ＲＯＭおよびオーディオビデオ情報を記録したＤＶＤ−ＲＯＭ（情報記録媒体）の読み取りが可能となっている。
【００１１】
カーナビゲーション装置１の本体２は、前面が開放された金属板製の筺体３と、この筺体３にその前面を閉鎖するように取り付けられたプラスチック製のエスカッション４とから構成されている。そして、筺体３内には、地図データ用およびオーディオビデオ用の両方のＤＶＤ−ＲＯＭの読み取りが可能な読取装置５が収納されており、この読取装置５に対してＤＶＤ−ＲＯＭを出し入れするための挿入口６が本体２の前面を構成するエスカッション４の縦壁面４ａに横長に形成されている。
【００１２】
一方、本体２の前部には、可動パネル７が配設されている。この可動パネル７には、表示手段として、液晶ディスプレイからなる表示画面８が設けられていると共に、操作手段としての押釦スイッチ９やボリューム１０などが設けられている。そのうち、表示画面８は、読取装置５が地図データ用ＤＶＤ−ＲＯＭから取得した情報に関連する事項、即ち道路地図を表示したり、オーディオビデオ用ＤＶＤ−ＲＯＭから取得した情報に関連する事項、即ち映像を表示したりする。また、押釦スイッチ８は、読取装置５を操作するためのもの、ボリューム１０は、読取装置５から図示しないスピーカに出力される音声出力の大きさを調整するためのものである。
【００１３】
可動パネル７の下部は、本体２の筺体３内に設けられた開閉機構、例えば図示しないモータを駆動源とするリンク機構１１に連結されている。また、可動パネル７の左右両外側面の上部には、ピン１２が突設されている。このピン１２に対し、エスカッション４の周囲部に前向きに突設された囲壁部４ｂの左右両内側面には、上下方向に延びるガイド溝１３が形成されている。そして、可動パネル７のピン１２は、ガイド溝１３内にスライド可能に嵌め込まれている。上記リンク機構１１は、可動パネル７を前後方向に移動させる。そして、可動パネル７が前後方向に移動されると、その前後方向移動に伴ってピン１２がガイド溝１３内を上下にスライドする。以上により、可動パネル７は、前後方向への移動時、前後方向に移動しながら傾斜角を変化させる。
【００１４】
このような可動パネル７は、最も後退した位置（以下、閉鎖位置）まで移動した状態では、図５に二点鎖線で示すように、ほぼ垂直に起立してエスカッション４の内側に収納される。これにより、可動パネル７は、挿入口６が形成された縦壁面４ａの全体を隠す。また、可動パネル７は、最も前進した位置（開放位置）まで移動した状態では、図５に実線で示すように、上向きに水平近くまで倒れた状態となる。これにより、挿入口６が露出され、ＤＶＤ−ＲＯＭの出し入れが可能になる。
【００１５】
可動パネル７は、図１に示すように、プラスチック製の偏平なケース１４の背面を金属板製の裏板１５で覆って構成されている。この可動パネル７の裏板１５には、横長の突部１６が取り付けられている。この突部１６は、挿入口６を外部に対して密に閉鎖する密閉手段を構成するもので、例えば合成ゴムなどの弾性材によって形成されている。そして、この突部１６の上下左右の各面は、図２に示すように、傾斜面１６ａ〜１６ｄに形成されている。
【００１６】
このような突部１６は、可動パネル７が閉鎖位置にあるとき、図１および図２に示すように、先端側が挿入口６内に入り込んで上下左右の各傾斜面１６ａ〜１６ｄを挿入口６の上下左右の各開口縁部に押圧させている。これにより、挿入口６は、突部１６によって密に閉鎖された状態になっている。
【００１７】
リンク機構１１は、複数個の押釦スイッチ９のうち、所定の押釦スイッチを操作することにより動作させることができる。そして、ＤＶＤ−ＲＯＭを出し入れする際には、その押釦スイッチを長く押すと、可動パネル７は、開放位置まで移動される。また、表示画面８が外光の反射などによって見にくい場合には、その押釦スイッチを短時間だけ操作して可動パネル７の傾斜角を調節する。これにより、可動パネル７が図５に破線で示すように傾いた状態で停止するので、表示画面８を外光の反射のない見易い状態にすることができる。
【００１８】
ＤＶＤ−ＲＯＭの出し入れした後に可動パネル７を基の閉鎖位置に戻すために、或いは傾けた可動パネル７を基の閉鎖位置に戻すために押釦スイッチを操作する。すると、可動パネル７は、後方に移動しながら次第に起立してゆき、閉鎖位置に至ると、図１および図２に示すように、突部１６の先端側を挿入口６内に侵入させて当該突部１６の上下左右の各傾斜面１６ａ〜１６ｄを挿入口６の上下左右の各開口縁部に押圧させる。
【００１９】
つまり、可動パネル７が垂直に起立した閉鎖位置に戻る際、リンク機構１１によって可動パネル７全体が後側に引っ張られるようになるため、突部１６の先端側が挿入口６内に侵入し、上下左右の各傾斜面１６ａ〜１６ｄの全体がほぼ均等に挿入口６側に押圧されるようになるのである。なお、図１３に示すように、ガイド溝１３の上端部を、縦壁面４ａ側に傾くように形成することにより、可動パネル７の閉鎖位置への復帰の際の後方移動が、より一層全体的に均一に行われるようになる。
【００２０】
そして、上記突部１６の挿入口６の開口周縁部への押圧により、挿入口６が外部に対して密に閉鎖され、空気中に含まれる細かい塵埃が挿入口６から読取装置５内に侵入することが防止される。この場合、突部１６の上下左右の各面が傾斜面１６ａ〜１６ｄに形成されているため、いわゆる楔効果により、突部１６が挿入口６の開口周縁に一層密に接して、より密に挿入口６を閉鎖する。これにより、空気中の細かい塵埃が挿入口６から読取装置５内に侵入し、ＤＶＤ−ＲＯＭの記録面に付着したり、読取装置５の読取ヘッドに付着したりすることを極力防止することができる。
【００２１】
（第２の実施形態）
図６は本発明の第２の実施形態を示す。この実施形態が上述の第１の実施形態と異なるところは、挿入口６の上下左右の各内面を傾斜面６ａ〜６ｄに形成し、突部１６の上下左右の傾斜面１６ａ〜１６ｄと面で接するように構成したところにある。このように面と面で接するように構成することにより、挿入口６の一層の気密化を図ることができる。
【００２２】
（第３の実施形態）
図７は本発明の第３の実施形態を示す。この実施形態では、可動パネル７の裏板１５の突部１７は、上下左右の各面１７ａ〜１７ｄを傾斜面とせず、裏板１５に対して垂直な面としている。これに対し、挿入口６の上下左右の各内面は傾斜面６ａ〜６ｄに形成され、突部１７の先端の上下左右の各稜角部が挿入口６の各傾斜面６ａ〜６ｄに当接するようにしている。
【００２３】
（第４の実施形態）
図８および図９は本発明の第４の実施形態を示す。この実施形態では、可動パネル７の裏板１５に合成ゴムなどの弾性材により形成した矩形枠状の突部１８を取り付け、この突部１８により密閉手段を構成している。そして、可動パネル７が閉鎖位置に移動されると、突部１８がエスカッション４の縦壁面４ａに押し付けられて挿入口６を外部に対して密に閉鎖する。
この構成によれば、可動パネル７が閉鎖位置に位置する際、リンク機構１１によりエスカッション４の縦壁部４ａに引き寄せられるようになるので、突部１８の全体がほぼ均一に縦壁部４ａの挿入口６の周囲部分に押し付けられ、挿入口６を外部に対して密に閉鎖する。
【００２４】
（第５の実施形態）
図１０は本発明の第５の実施形態を示す。この実施形態は、上述の第４の実施形態における突部１８に相当する突部１９を、裏板１３に例えば絞り成形によって一体に形成したものである。
【００２５】
（第６の実施形態）
図１１は本発明の第６の実施形態を示す。この実施形態は、エスカッション４の縦壁部４ａに、挿入口６を取り囲むようにして一体に突部２０を形成し、可動パネル７が閉鎖位置に移動されたとき、突部２０に可動パネル７の裏板１５が当接するように構成したものである。
このように構成しても、密閉手段を構成する突部２０により、挿入口６を外部に対して密に閉鎖することができる。
（第７の実施形態）
図１２は本発明の第７の実施形態を示す。この実施形態では、可動パネル７のケース１４は、エスカッション４の囲壁部４ｂよりも若干大きく形成されている。このケース１４の上下左右の外周面は、傾斜面１４ａ，１４ｂ（上下の２面のみ図示）に形成され、可動パネル７が閉鎖位置に移動したとき、ケース１４の傾斜面１４ａ，１４ｂがエスカッション４の囲壁部４ｂの先端の陵角部に当接するように構成されている。そして、このケース１４の傾斜面１４ａ，１４ｂがエスカッション４の囲壁部４ｂに当接することによって囲壁部４ｂが外部に対して密に密閉され、これにより挿入口６を外部に対して密に閉鎖している。
【００２６】
（第８の実施形態）
図１３は本発明の第８の実施形態を示す。この実施形態は、第７の実施形態と同様にエスカッション４と可動パネル７のケース１４との間を密に閉鎖するようにしたもので、第７の実施形態と異なるところは、エスカッション４の囲壁部４ｂの先端部にも、ケース１４の外周面である傾斜面１４ａ，１４ｂに面で接する傾斜面４ｃ（上面のみ図示）を形成したところにある。
【００２７】
（第９の実施形態）
図１４は本発明の第９の実施形態を示す。この実施形態も、第７の実施形態と同様にエスカッション４と可動パネル７のケース１４との間を密に閉鎖するようにしたもので、第７の実施形態と異なるところは、可動パネル７のケース１４には傾斜面を形成せず、エスカッション４の囲壁部４ｂの先端部を傾斜面４ｃ（上面のみ図示）に形成したところにある。
【００２８】
（その他の実施形態）
本発明は上記し且つ図面に示す実施形態に限定されるものではなく、以下のような拡張或いは変更が可能である。
可動パネル７を前後方向に移動させながら傾斜角を変化させるための構造は、リンク機構１１に限られない。
可動パネル７によって挿入口６を隠したり、露出させたりするための可動パネル７の動きは、前後移動しながら傾斜角を変化させるものに限られず、可動パネル７の上下方向への移動、或いは上下方向への回動などによるものであっても良い。
突部１６，１８は、合成ゴムのような弾性材に限られない。
車載装置はカーナビゲーション装置に限られない。
情報記録媒体としては、カセットテープであっても良く、この場合の読取装置はテープデッキとする。
車載装置によっては、可動パネルには、読取装置の操作のための操作手段だけを設けたものであっても良く、また、読取手段により読み取った情報を表示する表示画面だけを設けたものであっても良い。
【図面の簡単な説明】
【００２９】
【図１】本発明の第１の実施形態を示すカーナビゲーション装置の縦断側面図
【図２】挿入口部分を示し、（ａ）は縦断側面図、（ｂ）は横断平面図
【図３】突部の斜視図
【図４】カーナビゲーション装置の分解斜視図
【図５】可動パネルの動きを説明するための縦断側面図
【図６】本発明の第２の実施形態の挿入口部分を示し、（ａ）は縦断側断面図、（ｂ）は縦断正面図
【図７】本発明の第３の実施形態の挿入口部分を示し、（ａ）は縦断側断面図、（ｂ）は縦断正面図
【図８】本発明の第４の実施形態を示す挿入口部分の縦断側面図
【図９】突部の斜視図
【図１０】本発明の第５の実施形態を示す挿入口部分の縦断側面図
【図１１】本発明の第６の実施形態を示す挿入口部分の縦断側面図
【図１２】本発明の第７の実施形態を示す挿入口部分の縦断側面図
【図１３】本発明の第８の実施形態を示す挿入口部分の縦断側面図
【図１４】本発明の第９の実施形態を示す挿入口部分の縦断側面図
【符号の説明】
【００３０】
図中、１はカーナビゲーション装置（車載装置）、２は本体、４はエスカッション、４ｃは傾斜面、５は読取装置、６は挿入口、６ａ〜６ｄは傾斜面、７は可動パネル、８は表示画面（表示手段）、９は押釦スイッチ（操作手段）、１０はボリューム（操作手段）、１４はケース、１４ａ〜１４ｄは傾斜面、１６〜２０は突部（密閉手段）、１６ａ〜１６ｄは傾斜面を示す。
【図１】
2006351094.tif 000003
【図２】
2006351094.tif 000004
【図３】
2006351094.tif 000005
【図４】
2006351094.tif 000006
【図５】
2006351094.tif 000007
【図６】
2006351094.tif 000008
【図７】
2006351094.tif 000009
【図８】
2006351094.tif 000010
【図９】
2006351094.tif 000011
【図１０】
2006351094.tif 000012
【図１１】
2006351094.tif 000013
【図１２】
2006351094.tif 000014
【図１３】
2006351094.tif 000015
【図１４】
2006351094.tif 000016